(57)【特許請求の範囲】
【請求項１】
水性塗料を基剤とし、該基剤に、腹足類害虫を誘引するための誘引剤、腹足類害虫用駆除薬剤およびε−ポリリジンが混合されてなる、ことを特徴とする腹足類害虫用毒餌組成物。
【請求項２】
前記水性塗料は、アクリル・シリコン樹脂エマルジョンからなる、請求項１記載の腹足類害虫用毒餌組成物。
【請求項３】
支持体に固着させて腹足類害虫の駆除に用いられる、請求項１または２記載の腹足類害虫用毒餌組成物。
【請求項４】
支持体に請求項１〜３のいずれかに記載の腹足類害虫用毒餌組成物が固着されている、ことを特徴とする腹足類害虫用駆除具。
【請求項５】
前記支持体は、土壌へ差し込むための差込部または土壌を入れた容器に固定するための固定部を有する、請求項４記載の腹足類害虫用駆除具。
【請求項６】
前記支持体は、固着された腹足類害虫用毒餌組成物と土壌とを所定の距離だけ離間させて設置するための間隔形成手段を備えている、請求項４または５記載の腹足類害虫用駆除具。
【発明の詳細な説明】
【技術分野】
【０００１】
本発明は、例えば、ナメクジ、ウスカワマイマイ、カタツムリ、ミヤイリ貝等の腹足類害虫を誘引、駆除することができる腹足類害虫用毒餌組成物およびこれを用いた腹足類害虫用駆除具に関する。
【背景技術】
【０００２】
例えばナメクジ等の腹足類害虫は、野菜や花卉等を食害する害虫であり、その外観からも不快害虫として、駆除の対象とされている。
【０００３】
腹足類害虫の駆除方法としては、従来、米糠やふすま等を基剤とし、該基剤に駆除薬剤を含ませた毒餌剤を顆粒状に成形した顆粒状製剤を駆除領域内に散布する方法が一般的であった。しかし、ナメクジ等の腹足類害虫の活動域である畑、庭、植木鉢等は、降雨や潅水に曝される機会が多い。そのため、従来の顆粒状薬剤を散布する方法では、顆粒状薬剤が吸水して形状を維持することができず、薬剤成分が流出して駆除効果が低減されるという問題があった。
【０００４】
そこで、降雨や潅水による形状の崩壊や薬剤成分の流出を防止するべく、土壌へ差し込むための差込部または前記土壌を入れた容器に固定するための固定手段を有する支持体と、前記支持体の表面に固着された、ワックスまたは水性塗料を基剤とした腹足類害虫用毒餌剤とを備えた腹足類害虫用駆除具（特許文献１参照）が提案されている。
【０００５】
【特許文献１】特開２００５−９５１３３号公報
【発明の開示】
【発明が解決しようとする課題】
【０００６】
しかしながら、特許文献１に記載の駆除具に使用される毒餌剤にはナメクジ等を誘引するための誘引剤が含有されている。そのため、上記駆除具の製造、保管時、またナメクジ等の生息場所は湿気が多いことから設置後に、毒餌剤の一部にカビが繁殖するという問題が見られる。
【０００７】
一般に、カビの繁殖を防止する方法としては、いわゆる防カビ剤を配合することが考えられる。ところが、防カビ剤として知られている化合物の中には、ナメクジ等の腹足類害虫に対して忌避作用を有するものがあり、配合された誘引剤の誘引効果を阻害することが想定される。そのため、特許文献１記載の駆除具等では、腹足類害虫を誘引し、毒餌剤を舐めさせることによって駆除するものであることから、誘引効果が阻害されると、駆除効果を発現しえないことになる。したがって、誘引効果を阻害することなくカビの発生を抑制しうる手段が要望されている。
【０００８】
他方、特許文献１の駆除具においては基剤としてワックスまたは水性塗料を用いることができるが、製造時の粘性（取り扱いやすさ）や人体および環境に対する安全性の観点からは、水性塗料が好ましいと考えられる。ところが、水性塗料を基剤とする場合、ある種の防カビ剤を加えると粘土状に固化する傾向が見られ、製造適性（塗布性）が悪くなるため、例えば特許文献１記載のように支持体の表面に毒餌剤を固着させるといった形態に製剤化する際には問題が生じる。
【０００９】
本発明は、これらの事情に鑑みてなされたものであり、その目的は、腹足類害虫に対して充分な誘引効果を発現し、良好な製造適性（塗布性）を備えながら、カビの発生を抑制し、長期間にわたって効率よく腹足類害虫を駆除することができる、水性塗料を基剤とした腹足類害虫用毒餌組成物と、これを用いた腹足類害虫用駆除具を提供することにある。
【課題を解決するための手段】
【００１０】
本発明者は、上記課題を解決するために鋭意検討した。その結果、水性塗料を基剤とし、腹足類害虫を誘引するための誘引剤と腹足類害虫用駆除薬剤とを含有する組成物に対して、ε−ポリリジンを混合することで、前記課題を解決しうることを見出し、本発明を完成した。
【００１１】
すなわち、本発明は以下の構成からなる。
（１）水性塗料を基剤とし、該基剤に、腹足類害虫を誘引するための誘引剤、腹足類害虫用駆除薬剤およびε−ポリリジンが混合されてなる、ことを特徴とする腹足類害虫用毒餌組成物。
（２）前記水性塗料は、アクリル・シリコン樹脂エマルジョンからなる、（１）記載の腹足類害虫用毒餌組成物。
（３）支持体に固着させて腹足類害虫の駆除に用いられる、（１）または（２）記載の腹足類害虫用毒餌組成物。
（４）支持体に（１）〜（３）のいずれかに記載の腹足類害虫用毒餌組成物が固着されている、ことを特徴とする腹足類害虫用駆除具。
（５）前記支持体は、土壌へ差し込むための差込部または土壌を入れた容器に固定するための固定部を有する、（４）記載の腹足類害虫用駆除具。
（６）前記支持体は、固着された腹足類害虫用毒餌組成物と土壌とを所定の距離だけ離間させて設置するための間隔形成手段を備えている、（４）または（５）記載の腹足類害虫用駆除具。
【発明の効果】
【００１２】
本発明によれば、腹足類害虫に対して充分な誘引効果を発現し、良好な製造適性（塗布性）を備えながら、カビの発生を抑制し、長期間にわたって効率よく腹足類害虫を駆除することができる、水性塗料を基剤とした腹足類害虫用毒餌組成物を提供することができる。また、本発明にかかる腹足類害虫用毒餌組成物は、良好な製造適性（塗布性）を備えるものであるので、支持体の表面にこれを固着させることにより、容易に腹足類害虫用駆除具を製造することができる。さらに、本発明にかかる腹足類害虫用毒餌組成物は、水性塗料を基剤としたものであるので、耐水性が高く、そのため、これを支持体に固着させた腹足類害虫用駆除具は、降雨や潅水等によって濡れても製剤の形状が崩壊したり、薬剤成分が流出することがなく、長期間にわたって安定して駆除効果を維持することができるとともに、土壌を汚染することもない。しかも、水性塗料を基剤とすることで、製造時の粘性（取り扱いやすさ）を良好に保つことができ、人体および環境に対する安全性も高いという利点が得られる。
【発明を実施するための最良の形態】
【００１３】
本発明の腹足類害虫用毒餌組成物（以下、「組成物」と称することもある）は、水性塗料を基剤とする。
【００１４】
前記水性塗料としては、アクリル樹脂エマルジョンペイントを用いることができ、例えば、アクリル・シリコン樹脂エマルジョンペイント、アクリル・ウレタン共重合樹脂エマルジョンペイント、アクリル樹脂水性ニス、スチレンマレイン酸樹脂エマルジョンペイント等が挙げられる。これらの中でも特に、アクリル・シリコン樹脂エマルジョンからなるアクリル・シリコン樹脂エマルジョンペイントであることが好ましい。なお、水性塗料は、１種のみであってもよいし、２種以上であってもよい。
基剤としての水性塗料の配合量は、適宜設定すればよいが、通常、組成物中、２０〜９０質量％であることが好ましい。
【００１５】
本発明の組成物は、前記基剤に、腹足類害虫を誘引するための誘引剤、腹足類害虫用駆除薬剤およびε−ポリリジンが混合されてなる。
前記誘引剤としては、腹足類害虫を誘引しうるものであれば、特に制限されないが、例えば、ビール酵母、蛹粉、酒かす、オキアミパウダー、卵黄、キャベツパウダー、キャロットパウダー、チキンエキスパウダー、シーズニングオイル、ストロベリーパウダー、ピーチパウダー、マッシュルームエキス、魚粉、牛（豚）肉粉等が挙げられる。誘引剤は、１種のみであってもよいし、２種以上であってもよい。
誘引剤の配合量は、適宜設定すればよいが、通常、組成物中、１０〜５０質量％であることが好ましい。
【００１６】
前記腹足類害虫駆除薬剤としては、特に制限されないが、例えば、メタアルデヒド、塩化トリフェノール錫、酢酸トリフェノール錫、マクロテトラノイド、リン酸鉄、２−メチル−２−メチルチオ−６−ニトロフェノール、イソシアヌール酸トリアリルエステル、デヒドロ酢酸ナトリウム、硫酸銅５水和物、硫酸アルミニウム、ジクロラル尿素（１，３−ビス（２，２，２−トリクロル−１−ヒドロキシエチル）尿素）、メキサカルベート（４−ジメチルアミノ−３，５−キシリル−Ｎ−メチルカーバメート）、メチオカーブ（３，５−ジメチル−４−（メチルチオ）フェニルメチルカーバメート）、ニクロサミド（５−クロル−Ｎ−（２−クロル−４−ニトロフェニル）−２−ヒドロキシベンズアミド）、ＴＢＳ（Ｎ−１４−ブロムフェニル）−２−ヒドロキシ−３，５−ジブロムベンズアミド−Ｎ−トリフェニルメチルアミン）、トリフェンモルフ（Ｎ−トリチルモルフォリン）、イソピンピネリン（２，６−ジブロム−４−（４−ニトロフェニルアゾ）フェノール）等が挙げられる。腹足類害虫駆除薬剤は、１種のみであってもよいし、２種以上であってもよい。
腹足類害虫駆除薬剤の配合量は、適宜設定すればよいが、通常、組成物中、１〜１０質量％であることが好ましい。
【００１７】
前記ε−ポリリジンとしては、食品保存料として市販されているε−ポリリジン製剤を用いることができる。
ε−ポリリジンの配合量は、適宜設定すればよいが、通常、組成物中、０．１〜１質量％であることが好ましい。
【００１８】
本発明の組成物には、本発明の効果を損なわない範囲で、さらに必要に応じて、上記以外の成分を配合することができる。例えば、フェニル−β−ナフリルアミン、α−ナフリルアミン、Ｎ，Ｎ−ジ−第三ブチル−ｐ−フェニレンジアミン、２，６−ジ−第三ブチル−ｐ−クレゾール（ＢＨＴ）、２，６−第三ブチル−フェノール、２，４−ジ−メチル−６−第三ブチルフェノール、ブチルヒドロキシアニソール（ＢＨＡ）等の酸化防止剤；黄色２号、黄色４号、赤色２号、赤色３号、赤色１０２号、青色１号、青色２号、緑色２０１号、緑色２０２号等の色素；フェニルサリチレート、モノグリコリコールサリチレート、ｐ−第三ブチルフェニルサリチレート、２−ヒドロキシ−４−メトキシベンゾフェノン、２−ヒドロキシ−４−オクトキシベンゾフェノン、２（２−ヒドロキシ−５−メチルフェニル）ベンゾトリアゾール（チヌピン）等の光安定剤；カルボキシメチルセルロース、ヒドロキシエチルセルロース、カラギーナン、キサンタンガム、デンプン類等の粘度調整剤；安息香酸デナトリウム、トウガラシ粉末等の誤食防止剤；リン酸一水素ナトリウム、リン酸二水素ナトリウム等のＰＨ調整剤；水、エタノール、トウモロコシ油、ゴマ油等の植物油等の溶剤；香料；などを配合することができる。また、必要に応じて、本発明の腹足類害虫用毒餌組成物に寄ってくるアリ等の害虫を忌避、駆除するために、例えば、ピレスロイド系殺虫剤、カーバメイト系殺虫剤、ネオニコチノイド系殺虫剤等の殺虫剤や忌避剤等を、本発明の効果を損なわない範囲で配合してもよい。
【００１９】
本発明の組成物は、粘度が５０００〜１０００００ｍＰａ・ｓであることが好ましく、より好ましくは、アクリル・シリコン樹脂を基剤とする場合には、７０００〜１００００ｍＰａ・ｓであるのがよい。本発明の組成物の粘度が前記範囲よりも低すぎると、後述する腹足類害虫用駆除具を製造するべく支持体の表面に塗布した際に垂れ落ちが生じやすくなったり、塗布後の乾燥時間が長くなったりするおそれがある。一方、本発明の組成物の粘度が前記範囲よりも高すぎると、固化はしなくても塗布性が低下する傾向があり、また塗布して乾燥した後に固着した組成物にひび割れが発生するおそれがある。
【００２０】
本発明の組成物は、支持体の表面に固着させて腹足類害虫の駆除に用いられることが好ましい。つまり、後述する腹足類害虫用駆除具のような形態に製剤化する場合に、より優れた駆除効果を発揮するのである。
【００２１】
本発明の腹足類害虫用駆除具（以下「駆除具」と称することもある）は、土壌へ差し込むための差込部または土壌を入れた容器に固定するための固定部を有する支持体の表面に、上述した本発明の組成物が固着されているものである。以下、土壌へ差し込むための差込部を有する支持体を用いた駆除具を第１実施形態とし、土壌を入れた容器に固定するための固定部を有する支持体を用いた駆除具を第２実施形態として、図面を用いて説明する。
【００２２】
図１は、本発明の第１実施形態である腹足類害虫用駆除具の正面図であり、図２は、図１におけるＩＩ−ＩＩ矢視縦断面図である。
図１および図２に示されるように、腹足類害虫用駆除具１は、支持体２と、固着した本発明の組成物（以下「固着組成物」と称することもある）３とを備えている。
【００２３】
支持体２は、固着組成物３を保持するためのものであって、例えば、木、竹、紙、合成樹脂、金属、セラミック、ガラス等のいずれか、またはそれらの組合せから形成される。支持体２の形状は、例えば、直径４ｍｍ〜１０ｍｍ、長さ５０ｍｍ〜１５０ｍｍの棒状、あるいは幅５ｍｍ〜２０ｍｍ、厚み３ｍｍ〜１０ｍｍ、長さ５０ｍｍ〜１５０ｍｍの平板棒状等である。支持体２の一端は、先細り状に形成された差込部２ａであり、この差込部２ａを例えば畑の土、庭の土、植木鉢の土等の土壌４に差し込むことにより、任意の場所に腹足類害虫用駆除具１を設置できるようになっている。このような差込部２ａを持つ支持体２を備えた腹足類害虫用駆除具１は、例えば垂直に差し込んで設置できるので、狭い設置場所や作物、園芸物等の近傍にも容易に設置することが可能である。また、駆除効果をさらに向上させるために、複数本の腹足類害虫用駆除具１を密に隣接させて設置することもできる。
【００２４】
固着組成物３は、ナメクジ等の腹足類害虫５を誘引し、駆除するためのものであって、支持体２の差込部２ａから離間した支持体２の他端側全体（すなわち、他端側の外周面および端面）に、本発明の組成物を塗布し乾燥することにより固着させたものである。固着組成物３は、換言すれば、支持体２の他端側全体を覆うように設けられている。支持体２に固着される固着組成物３の量は、例えば、０．５〜４ｇ／支持体、好ましくは１．５ｇ／支持体程度であり、固着組成物３の厚みは、約０．１〜１０ｍｍであるのがよい。
【００２５】
次に、本発明の腹足類害虫用駆除具の第２実施形態を説明する。図３は、本発明の第２実施形態である腹足類害虫用駆除具の縦断面図である。
図３に示されるように、第２実施形態の腹足類害虫用駆除具２０は、支持体２２の形状のみが第１実施形態の腹足類害虫用駆除具１と異なり、その他の部分は同様であるので、同一部分には同一符号または相当符号を付して説明を簡略化または省略する。
【００２６】
支持体２２は、固着組成物３を保持するためのものであって、例えば、木、竹、紙、合成樹脂、金属、セラミック、ガラス等のいずれか、またはそれらの組合せから形成される。支持体２２は、略逆Ｕ字形に形成した固定部２２ａと、固定部２２ａから上方に延設された直線部２２ｂとが一体的に形成されてなる。固定部２２ａは、逆Ｕ字形の開口幅が拡縮自在となっており、植木鉢２３の周縁部２３ａ等を狭持して固定するようになっている。直線部２２ｂには、本発明の組成物を塗布し乾燥することにより固着組成物３が固着されている。この固着組成物３の成分も、第１実施形態の固着組成物３と同様である。
【００２７】
このように土壌４を入れた容器（鉢）２３に固定するための固定部２２ａを持つ支持体２２を備えた腹足類害虫用駆除具２０は、鉢２３の周縁部２３ａ、庭等に配置された柵（不図示）、ナメクジ等の腹足類害虫５の駆除対象とされた木の枝（不図示）等を固定部２２ａで狭持して、任意の場所に容易に設置することができる。また、腹足類害虫用駆除具２０は、適宜の固定対象物を固定部２２ａで狭持して設置されるので、腹足類害虫用駆除具２０が効率よく作用するように、固着組成物３を土壌４に対して任意の姿勢、例えば、土壌４に垂直方向、水平方向、或いは任意の角度で傾斜させて設置することができる。
【００２８】
本発明の駆除具においては、前記支持体は、固着された腹足類害虫用毒餌組成物（固着組成物）と土壌とを所定の距離だけ離間させて設置するための間隔形成手段を備えていることが好ましい。これにより、腹足類害虫用毒餌剤を土壌から離間させて設置することができ、表面に水が溜まった土壌への設置が可能となり、腹足類害虫用毒餌剤が土壌から直接吸湿するのを防止するとともに、薬剤成分による土壌の汚染も防止できる。この間隔形成手段を備えた駆除具を第３実施形態として、図面を用いて説明する。
【００２９】
図４は、本発明の第３実施形態である腹足類害虫用駆除具の縦断面図である。
図４に示されるように、この実施形態の腹足類害虫用駆除具３０は、支持体３２の形状のみが第１実施形態の腹足類害虫用駆除具１と異なり、その他の部分は同様であるので、同一部分には同一符号または相当符号を付して説明を簡略化または省略する。
【００３０】
支持体３２は、固着組成物３を保持するためのものであって、例えば木、竹、紙、合成樹脂、金属、セラミック、ガラス等のいずれか、またはそれらの組合せから形成された棒状部材である。支持体３２の一端は先細り状に形成された差込部３２ａであり、差込部３２ａと固着組成物３との間には、固着組成物３の下端から所定の距離Ｘ（例えば、１０ｍｍ〜３０ｍｍ）だけ離間して、間隔形成手段の一例である突起３２ｂが設けられている。また、固着組成物３の成分は、第１実施形態の固着組成物と同様である。
【００３１】
このように間隔形成手段として突起３２ｂを設けた腹足類害虫用駆除具３０は、突起３２ｂが土壌４に接触するまで差込部３２ａを土壌４に突き刺して設置される。これによって、腹足類害虫用駆除具３０は、腹足類害虫用駆除具３０を起立させた状態で維持するのに必要な十分な長さで土壌４に突き刺される。また、土壌４と固着組成物３との間に所定の距離Ｘが確保され、固着組成物３が土壌４に直接接触することがないので、固着組成物３が土壌４から吸湿したり、薬剤成分によって土壌４を汚染することを防止できる。また、突起３２ｂはツバ形状等を有しているので、突起３２ｂの下面と土壌４の表面との大きな面接触により、腹足類害虫用駆除具３０の起立性も良い。
なお、間隔形成手段としては、図４に示される突起３２ｂに限定されるものではなく、例えば、支持体３２に圧入等の手段によって固定されるリング状部材、印刷や彫込み等により支持体３２に記された目印、凹部等も間隔形成手段とすることができる。
【００３２】
さらに、本発明の駆除具においては、前記支持体は、把持部を備えていることが好ましい。これにより、使用者は、駆除具を任意の場所に設置あるいは移動する際に、把持部を指で把持しながら差込部を土壌に突き刺したり固定部を容器等に固定したりできるので、支持体に固着された腹足類害虫用毒餌組成物（固着組成物）に直接触れる必要がなく、安全性が向上する。このような把持部を備えた駆除具を第４実施形態として、図面を用いて説明する。
【００３３】
図５は、本発明の第４実施形態である腹足類害虫用駆除具の縦断面図である。
図５に示されるように、この実施形態の腹足類害虫用駆除具４０は、支持体４２の形状のみが第１実施形態の腹足類害虫用駆除具１と異なり、その他の部分は同様であるので、同一部分には同一符号または相当符号を付して説明を簡略化または省略する。
【００３４】
支持体４２は、固着組成物３を保持するためのものであって、例えば木、竹、紙、合成樹脂、金属、セラミック、ガラス等のいずれか、またはそれらの組合せから形成された部材である。支持体４２の一端は、先細り状に形成された差込部４２ａであり、支持体４２の他端は、上面が平らに形成された任意の形状（例えば、円形、矩形など）の把持部４２ｂである。差込部４２ａと把持部４２ｂとの間の外周面に固着された固着組成物３の成分は、第１実施形態の固着組成物と同様である。
【００３５】
このように把持部４２ｂを設けた腹足類害虫用駆除具４０は、差込部４２ａを土壌に突き刺して設置してもよいし、把持部４２ｂを下にして倒立させた状態で設置場所に置くようにしてもよい。例えばコンクリートの上に設置する場合のように土壌がなく差込部４２ａを突き刺すことができない時には、後者の倒立させる方法で設置すればよい。なお、後者の方法で設置する場合には、差込部４２ａは特に必要ない。
なお、把持部の形状は、図５に示す形状に限定されるものではなく、例えば、支持体４２の周囲にリング状に形成されていてもよい。また、上述した倒立させる設置方法を採用しない場合には、把持部の上面は平らになっていなくてもよい。
【００３６】
上述した各実施形態の腹足類害虫用駆除具１、２０、３０、４０は、固着組成物３に含まれる誘引剤の作用により広い範囲からナメクジ等の腹足類害虫５を誘引し、腹足類害虫駆除薬剤を舐めさせることにより腹足類害虫５を駆除する。
本発明の駆除具は、上述した各実施形態に限定されるものではなく、適宜、変形や改良等が可能である。例えば上記特許文献１に開示された各種実施形態や変形例のような形態を採用することができることは言うまでもない。
【実施例】
【００３７】
以下、実施例において本発明をさらに詳しく説明するが、本発明はこれらに限定されるものではない。
【００３８】
（実施例１）
水性塗料としてアクリル・シリコン樹脂エマルジョン（アクリルシリコン樹脂塗料）と、誘引剤としてビール酵母と、腹足類害虫用駆除薬剤としてメタアルデヒドと、ε−ポリリジンと、その他の成分として表１に示す成分とを、それぞれ表１に示す配合処方で混合して、腹足類害虫用毒餌組成物を調製した。
得られた組成物は、粘土状に固化することもなく、良好な塗布性を備えたものであった。
【００３９】
【表１】
0004825814.tif 000002
【００４０】
（比較例１）
実施例１で用いたε−ポリリジンに変えて、パラベンを配合した組成物を調製した。具体的には、表２に示す成分をそれぞれ表２に示す配合処方で混合した。
得られた組成物は、粘土状に固化することもなく、良好な塗布性を備えたものであった。
【００４１】
【表２】
0004825814.tif 000003
【００４２】
（比較例２）
実施例１で用いたε−ポリリジンに変えて、イソプロピルメチルフェノールを配合した組成物を調製した。具体的には、表３に示す成分をそれぞれ表３に示す配合処方で混合した。
得られた組成物は、粘土状に固化することもなく、良好な塗布性を備えたものであった。
【００４３】
【表３】
0004825814.tif 000004
【００４４】
（比較例３）
実施例１で用いたε−ポリリジンに変えて、塩化ベンザルコニウム５０％水溶液を配合した組成物を調製した。具体的には、表４に示す成分をそれぞれ表４に示す配合処方で混合した。
得られた組成物は、粘土状に固化することもなく、良好な塗布性を備えたものであった。
【００４５】
【表４】
0004825814.tif 000005
【００４６】
（比較例４）
実施例１で用いたε−ポリリジンに変えて、塩化セチルピリジニウムを配合した組成物を調製した。具体的には、表５に示す成分をそれぞれ表５に示す配合処方で混合した。
得られた組成物は、直ちに粘土状に固化してしまい、塗布困難なものであった。
【００４７】
【表５】
0004825814.tif 000006
【００４８】
（参考例）
比較例４における配合処方のうち、塩化セチルピリジニウムのみを配合しない組成物を調製した。具体的には、表５に示す成分のうち塩化セチルピリジニウムを除く各成分をそれぞれ表５に示す配合処方で混合した（合計は９９．５２質量％となる）。
得られた組成物は、粘土状に固化することはなかった。このことから、比較例４の組成物が固化した原因は塩化セチルピリジニウムであると推測される。
【００４９】
（比較例５）
実施例１で用いたε−ポリリジンに変えて、ソルビン酸カリウムを配合した組成物を調製した。具体的には、表６に示す成分をそれぞれ表６に示す配合処方で混合した。
得られた組成物は、直ちに粘土状に固化してしまい、塗布困難なものであった。
【００５０】
【表６】
0004825814.tif 000007
【００５１】
以上の実施例および比較例のうち、粘土状に固化することなく製造適性（塗布性）に問題がなかった実施例１および比較例１〜３で得た組成物について、カビ（アオカビ（Penicillium）、黒コウジカビ（A. niger））および細菌（大腸菌（E. coli）、緑膿菌（P. aeruginosa））に対する繁殖防止効果を以下の方法で調べた。結果を表７〜表９に示す。なお、表７〜表９の中で、「−」は未測定を意味する。
【００５２】
カビおよび細菌に対する繁殖防止効果は、供試サンプル（組成物）５０ｇにカビまたは細菌の菌液１００μＬを添加した検体を、２５℃（カビの場合）または３７℃（細菌の場合）の恒温槽で１週間静置保存した後、培養して菌数を測定することにより評価した。詳しくは、恒温槽で１週間保存する前（初期）と保存後（１週間後）の検体を採取し、これをマイクロピペット・エッペンドルフを用いて生理食塩水で１×１０２倍および１×１０３倍に希釈し、得られた各濃度の希釈液１００μＬを寒天培地（カビの場合にはＧＰＬＰ寒天を使用、細菌の場合にはＳＣＤＬＰ寒天を使用）に摂取して、好気的条件下、２５℃（カビの場合）または３７℃（細菌の場合）の恒温槽に所定日数（カビの場合には２〜３日、細菌の場合には１日）静置することにより培養した後、コロニー数をカウントした。なお、各培養は２回ずつ行った。
そして、１週間後のコロニー数が１０未満であり、かつ初期のコロニー数よりも減少している場合を「○」と評価し、それ以外の場合を「×」と評価した。
【００５３】
他方、コントロールとして、上記検体に変えて滅菌生理食塩水５０ｍＬにカビまたは細菌の菌液１００μＬを添加した検体を用いたこと以外は、上記と同様の操作を行った。
なお、カビ（アオカビ、黒コウジカビ）の菌液としては、ＰＤＡ寒天培地にて好気的条件下２５℃で３〜４日静置することにより培養した後、胞子をかきとり、０．１％Ｔｗｅｅｎ８０添加滅菌生理食塩水に懸濁させて滅菌ガーゼでろ過したものを用い、細菌（大腸菌、緑膿菌）の菌液としては、ＳＣＤ液体培地にて好気的条件下３７℃で１日静置することにより培養したものを用いた。
【００５４】
【表７】
0004825814.tif 000008
【００５５】
【表８】
0004825814.tif 000009
【００５６】
【表９】
0004825814.tif 000010
【００５７】
表７〜表９から、実施例１で用いたε−ポリリジンおよび比較例１で用いたパラベンのみがカビに対して充分な繁殖防止効果を奏することがわかる。つまり、実施例１および比較例１以外の組成物のように、細菌に対して繁殖防止効果を有するものであっても、必ずしもカビに対して充分な効果を奏するとは限らない、ことが明らかである。
【００５８】
次に、カビに対して充分な繁殖防止効果を有する実施例１および比較例１で得た組成物について、図１に示す駆除具を作製し、ナメクジに対する誘引効果を以下の方法で調べた。結果を表１０に示す。
なお、駆除具は、木製の棒状支持体の上半分に組成物１ｇを塗布し、室温で２時間乾燥させることにより、作製した。
ナメクジに対する誘引効果は、野外において、チャコウラナメクジの活動が見られる場所３箇所に、各々駆除具を５本ずつ近接して並置し、1晩放置後の死亡個体数（誘引数）を計測することにより評価した。
【００５９】
【表１０】
0004825814.tif 000011
【００６０】
表１０から、比較例１の組成物では、誘引剤の誘引効果が阻害され、誘引効果ひいては駆除効果が全く認められないのに対して、本発明の組成物を用いた駆除具によれば、周囲にいるナメクジを誘引し、効率よく駆除できることがわかった。
【図面の簡単な説明】
【００６１】
【図１】本発明の第１実施形態の腹足類害虫用駆除具を示す正面図である。
【図２】図１におけるＩＩ−ＩＩ矢視縦断面図である。
【図３】本発明の第２実施形態である腹足類害虫用駆除具の縦断面図である。
【図４】本発明の第３実施形態である腹足類害虫用駆除具の縦断面図である。
【図５】本発明の第４実施形態である腹足類害虫用駆除具の縦断面図である。
【符号の説明】
【００６２】
１、２０、３０、４０： 腹足類害虫用駆除具
２、２２、３２、４２： 支持体
２ａ、３２ａ、４２ａ： 差込部
２２ａ：固定部
３２ｂ： 突起（間隔形成手段）
４２ｂ：把持部
３： 固着組成物（本発明の腹足類害虫用毒餌組成物）
４： 土壌
５： ナメクジ（腹足類害虫）
【図１】
0004825814.tif 000012
【図２】
0004825814.tif 000013
【図３】
0004825814.tif 000014
【図４】
0004825814.tif 000015
【図５】
0004825814.tif 000016